(57)【要約】【課題】  携帯性があり、簡便な健康器具の提供。【解決手段】  本発明の健康器具は、スリッパタイプの底部に加熱／冷却手段を設け、所定の周期で交互に加熱／冷却するようにした健康器具であって、加熱／冷却手段はペルチェ素子を含むことを特徴とする。また、加熱／冷却手段は、所定の周期で直流電流の流す向きを逆にするようにすることを特徴とする。また、ＡＣアダプタを備えたことを特徴とする。また、本発明の健康器具は、スリッパタイプの健康器具であって、中敷きに加熱／冷却手段を設け、所定の周期で交互に加熱／冷却するようにし、加熱／冷却手段はペルチェ素子を含むことを特徴とする。また、加熱／冷却手段は、所定の周期で直流電流の流す向きを逆にするようにすることを特徴とする。【選択図】図１
2006223456.tif 000002
【特許請求の範囲】
【請求項１】
スリッパタイプの底部に加熱／冷却手段を設け、所定の周期で交互に加熱／冷却するようにした冷え性改善用健康器具であって、前記加熱／冷却手段はペルチェ素子を含むことを特徴とする健康器具。
【請求項２】
前記加熱／冷却手段は、所定の周期で直流電流の流す向きを逆にするようにすることを特徴とする健康器具。
【請求項３】
スリッパタイプの冷え性改善用健康器具であって、中じきに加熱／冷却手段を設け、所定の周期で交互に加熱／冷却するようにし、前記加熱／冷却手段はペルチェ素子を含むことを特徴とする健康器具。
【請求項４】
前記加熱／冷却手段は、所定の周期で直流電流の流す向きを逆にするようにすることを特徴とする健康器具。
【請求項５】
ＡＣアダプタを備えたことを特徴とする請求項１〜４に記載の健康器具。
【発明の詳細な説明】
【技術分野】
【０００１】
本発明は、冷え性などを改善、代謝(基礎代謝)機能の改善・向上、ダイエット等の効果を有する健康器具に関するものである。
【背景技術】
【０００２】
冷え性などを改善、代謝(基礎代謝)機能の改善・向上、ダイエット等の効果を図るために、加温水中で足を加温し、次に常温または冷水中で足を冷やすということを繰り返すことが行なわれていた。また、足温器に熱源を設置して長時間に亘り保温する保温スリッパも提案されている(特許文献１：特開２００２−２０４７７０３号公報)。しかしながら、いちいち保温剤を温めたり、保冷剤を冷却したりしなければならず、交換する必要があり使用者にとっては煩雑さがあった。
【特許文献１】特開２００２−２０４７７０３号公報
【発明の開示】
【発明が解決しようとする課題】
【０００３】
本発明は、従来の問題点に鑑みなされたもので、携帯性があり、簡便で、冷え性の改善、代謝(基礎代謝)機能の改善・向上、ダイエット等の効果を図ることが可能な健康器具を提供することを目的とするものである。
【課題を解決するための手段】
【０００４】
この目的を達成するために、本発明の冷え性改善用健康器具は、スリッパタイプの底部に加熱／冷却手段を設け、所定の周期で交互に加熱／冷却するようにし、冷え性の改善、代謝(基礎代謝)機能の改善・向上、ダイエット等の効果を図ることが可能な健康器具であって、加熱／冷却手段はペルチェ素子を含むことを特徴とする。また、加熱／冷却手段は、所定の周期で直流電流の流す向きを逆にするようにすることを特徴とする。また、ＡＣアダプタを備えたことを特徴とする。
【０００５】
また、本発明の健康器具は、スリッパタイプの健康器具であって、中敷きに加熱／冷却手段を設け、所定の周期で交互に加熱／冷却するようにし、加熱／冷却手段はペルチェ素子を含むことを特徴とする。また、加熱／冷却手段は、所定の周期で直流電流の流す向きを逆にするようにすることを特徴とする。また、ＡＣアダプタを備えたことを特徴とする。
【発明の効果】
【０００６】
本発明による上述の冷え性の改善、代謝(基礎代謝)機能の改善・向上、ダイエット等の効果を図ることが可能な健康器具は、携帯性があり、自宅内だけに限らず、自家用車、列車，バス，船舶，航空機などの公共輸送機関内でも容易に使用ができる。
【発明を実施するための最良の形態】
【０００７】
図１は本発明の実施例の冷え性改善用健康器具の外観斜視図、図２は部分分解図である。図３は、ブロック図である。図１、図２において、１はスリッパ、２、３ｂは差込プラグ、２ａはプラグ挿入口、３ａはＡＣアダプタである。図２（ａ）は、スリッパ１の底部からの斜視図で、面ファスナ４Ａ、接続部８、凹部９ａを含む構造となっている。図２（ｂ）は、スリッパ１の底部２を構成するもので、加熱(発熱)／冷却手段６を含む構造を示している。凸部９ｂにはペルチェ素子を含む加熱(発熱)／冷却手段６が内蔵され、凹部９ａに凸部９ｂを嵌込み、押えると面ファスナ４Ａ、面ファスナ４Ｂにより係合するようになる。このとき、接続部８ａ、８ｂが電気的に接続する。図２（ｃ）は図２（ｂ）に代わるもので、中敷きタイプのものを示している。
【０００８】
実際の加温／冷却治療にあたっては、通常は、電源コード２ｃの差込プラグ２をスリッパ１のプラグ挿入口２ａに、差込プラグ３ｂを商用コンセントに差込んで使用する。電源コード２ｃの差込プラグ３ｂには、ＡＣアダプタ３ａが設けられている。
【０００９】
リモコンを用いた場合について、図１、図２、図３に基づいて説明する。まず、使用者は、スリッパ１のプラグ挿入口２ａに電源コード２ｃの差込プラグ２を差込み、一方、差込プラグ３ｂを商用コンセントに差込む。リモコン部１００の、キーパッドなどの操作部１０４を押し、動作開始の指示を行なう。指示信号を受け、ＣＰＵ１０１をから外部通信部(赤外線通信部等)１０３から赤外線(特定周波数の電波等)を発生させるよう指示がなされる。この指示を受け、外部通信部(赤外線通信部等)１０３から動作開始指示信号を外部通信部(赤外線通信部等)２３に送信する。この送信信号を受けて、ＣＰＵ２１からペルチェ素子で構成された加熱(発熱)／冷却部２４に動作開始指示がされ、加熱(発熱)／冷却動作が開始される。スリッパ１内の温度はサーミスタ等の測温部２２で計測され、過熱／過冷却がないようにＣＰＵ２１で加熱(発熱)／冷却部２４の加熱(発熱)／冷却動作が制御され、ペルチェ素子を含む加熱(発熱)／冷却手段の温度調節機能として作用する。所定の周期、例えば３０分間、スリッパ１の一方を加熱、一方を冷却し、次の３０分間は加熱したスリッパ１を冷却、冷却したスリッパ１を加熱する(この場合、インターバルを設けなければ、周期は６０分となる。)。なお、１０６は電源部であり、電池(充電池)で動作できるようにしてもよい。
【００１０】
なお、リモコン部１００に、ＬＥＤ，ＬＣＤ等の表示部１０２を設け、発熱／冷却動作の動作状態や設定部１０５で個別で設定した発熱／冷却のパターンやパラメータ(加熱温度条件，加熱速度(温度勾配)，冷却温度，冷却速度(温度勾配)，温度保持時間，周期等)を表示確認できるようにすることができる。なお、加熱状態で赤色に、冷却状態で緑色、動作途中の状態でオレンジ色に点灯または点滅するＬＥＤ等をスリッパ１に動作インジケータとして設けてもよい。上述のリモコン部１００は、スリッパ１と、外部通信部２３，１０３により無線での制御を行なうものであるが有線でも行うことができる。なお、本体部であるスリッパ１に制御部１０１、表示部１０２、操作部１０４、設定部１０５、電源部１０６を設けるような構造にしてもよい。
【００１１】
スリッパ１は、いずれかの片足が入るように片方のみとしてもよいし、両方の足が入るように１足としてもよい。また、両足が一緒に同時に入るようにして、片方の足が加熱されている時に片方の足が冷却されるように、加熱／冷却部２４を左右２つの領域とした構成にし、一方が加熱されている時に一方を冷却し、所定時間(分)ごとに加熱／冷却を交互に行なうようにしてもよい。加熱動作のみ、冷却動作のみになるように制御してもよい。また、ほぼ円盤状に形成し、両足が一緒に同時に入るようにして、片方の足が加熱されている時に片方の足が冷却されるように、発熱／冷却部２４を左右２つの領域とした構成にし、所定時間(分)ごとに約１８０度回転させて加熱／冷却を交互に行なうようにしてもよい。また、スリッパ型に限らず、ふくらはぎまで高さのある、いわゆるブーツ式にも適用可能である。以上、詳述説明したが、本願発明はこれに限られるものでなく、適宜変更が可能である。
【図面の簡単な説明】
【００１２】
【図１】本発明の実施例の健康器具の外観斜視図である。
【図２】本発明の実施例の健康器具の分解斜視図である。
【図３】本発明の実施例の健康器具のブロック図である。
【符号の説明】
【００１３】
１・・・スリッパ、２・・・底部、２４・・・加熱／冷却部
【図１】
2006223456.tif 000003
【図２】
2006223456.tif 000004
【図３】
2006223456.tif 000005